(57)【要約】【課題】ブラインドの操作装置を提供する。【解決手段】本発明によるブラインドの操作装置は、ボールチェーン９を掛装するプーリー１０と、該プーリー１０を収容するプーリーケース３とを備え、ボールチェーン９を挿通するプーリーケース３の開口部３ａに、Ｒ  ＞  （１８０×ｄ）／（３．１４×θ）−ｒ、ここに、Ｒ：曲率半径、ｄ：ボールピッチ、θ：スロープ角、ｒ：ボール径、を満たす形状のスロープ部３２３、或いはチェーンガイド３３が形成されている。【選択図】図４
2015218430.tif 000002
【特許請求の範囲】
【請求項１】
ブラインドの操作装置であって、
ボールチェーンを掛装するプーリーと、
該プーリーを収容するプーリーケースとを備え、
前記ボールチェーンを挿通する前記プーリーケースの開口部に、
Ｒ  ＞  （１８０×ｄ）／（３．１４×θ）−ｒ
ここに、
Ｒ：曲率半径、
ｄ：ボールピッチ、
θ：スロープ角、
ｒ：ボール径、
を満たす形状のスロープ部が形成されていることを特徴とする操作装置。
【請求項２】
前記スロープ部は、硬質材料で形成されていることを特徴とする、請求項１に記載の操作装置。
【請求項３】
ブラインドの操作装置であって、
ボールチェーンを掛装するプーリーと、
該プーリーを収容するプーリーケースとを備え、
前記ボールチェーンを挿通する前記プーリーケースの開口部に、
Ｒ  ＞  （１８０×ｄ）／（３．１４×θ）−ｒ
ここに、
Ｒ：曲率半径、
ｄ：ボールピッチ、
θ：スロープ角、
ｒ：ボール径、
を満たす形状のチェーンガイドが設けられていることを特徴とする操作装置。
【請求項４】
前記チェーンガイドは、硬質材料で形成されていることを特徴とする、請求項３に記載の操作装置。
【発明の詳細な説明】
【技術分野】
【０００１】
本発明は、横型ブラインド、たくし上げカーテン、プリーツスクリーン、ロールブラインド等のブラインドの操作装置に関する。
【背景技術】
【０００２】
ボールチェーンを操作してスラットを昇降操作するブラインドには、横型ブラインドや、スラットを誘導操作する縦型ブラインド、スクリーンを昇降するロールブラインド、カーテン生地を昇降する、たくし上げカーテンやプリーツカーテン等がある。
【０００３】
これらのブラインドの操作装置において、ボールチェーンは、ヘッドボックスに回転可能に支持されたプーリーに掛装され、ボールチェーンの操作によりプーリーを回転させると、スラットが角度調節されるとともに、スラットが昇降されるようになっている。
【０００４】
このようなボールチェーンを使用した操作装置では、プーリーから垂下される無端状のボールチェーンの一方を下方へ引き出してスラットを昇降操作するとき、プーリーから垂下される他方のボールチェーンが揺動してプーリーケース等に衝突しながら引き上げられるため、騒音を発生させることがある。
【０００５】
そこで、プーリーケースに軟質の緩衝材を取着して騒音を低減する技法（例えば、特許文献１参照）や、プーリーケースにボールチェーンのボールに噛み合う凹凸を有する滑車を別個に設け、ボールチェーンをプーリーから滑車を介して垂下することで騒音を低減する技法（例えば、特許文献２参照）が開示されている。
【先行技術文献】
【特許文献】
【０００６】
【特許文献１】特開２００８−１４４５２８号公報
【特許文献２】特開２０１０−２６１１７４号公報
【発明の概要】
【発明が解決しようとする課題】
【０００７】
特許文献２に開示されるように、ボールチェーンをプーリーから滑車を介して垂下することで騒音を低減する技法では、ボールチェーンのプーリーケース等への衝突を確実に回避することができるため、静音化に有効である。しかしながら、この滑車を設けた分、操作装置が大型化してしまうという問題がある。例えば、２枚のスクリーンを前後配置した２層型のプリーツスクリーンでは、２層型である故に操作装置の前後幅が大きくなり、ボールチェーンがプーリーケース等に衝突して生じる騒音がより発生しやすくなる傾向がある。このため、滑車を設けることで当該騒音を低減できるとしても、操作装置の前後幅の更なる大型化は美観を損ねうるため好ましくない。
【０００８】
一方、特許文献１に開示されるように、プーリーケースに軟質の緩衝材を取着して騒音を低減する技法では、操作装置の大型化を避けることができるものの、この軟質の緩衝材の耐久性が懸念される。
【０００９】
本発明の目的は、上述の問題に鑑みて、ブラインドの操作装置を提供することにある。
【課題を解決するための手段】
【００１０】
本発明による第１態様の操作装置は、ブラインドの操作装置であって、ボールチェーンを掛装するプーリーと、該プーリーを収容するプーリーケースとを備え、前記ボールチェーンを挿通する前記プーリーケースの開口部に、
Ｒ  ＞  （１８０×ｄ）／（３．１４×θ）−ｒ
ここに、
Ｒ：曲率半径、
ｄ：ボールピッチ、
θ：スロープ角、
ｒ：ボール径、
を満たす形状のスロープ部が形成されていることを特徴とする。
【００１１】
また、本発明による第１態様の操作装置において、前記スロープ部は、硬質材料で形成されていることを特徴とする。
【００１２】
更に、本発明による第２態様の操作装置は、ブラインドの操作装置であって、ボールチェーンを掛装するプーリーと、該プーリーを収容するプーリーケースとを備え、前記ボールチェーンを挿通する前記プーリーケースの開口部に、
Ｒ  ＞  （１８０×ｄ）／（３．１４×θ）−ｒ
ここに、
Ｒ：曲率半径、
ｄ：ボールピッチ、
θ：スロープ角、
ｒ：ボール径、
を満たす形状のチェーンガイドが設けられていることを特徴とする。
【００１３】
また、本発明による第２態様の操作装置において、前記チェーンガイドは、硬質材料で形成されていることを特徴とする。
【発明の効果】
【００１４】
本発明によれば、操作装置の大型化を避け、ボールチェーンのプーリーケース等への衝突によって生じる騒音を効果的に低減することができるようになる。
【図面の簡単な説明】
【００１５】
【図１】本発明による一実施形態の操作装置を備える２層型のプリーツスクリーンの概略構成を示す正面図である。
【図２】本発明による一実施形態の操作装置を備える２層型のプリーツスクリーンの概略構成を示す平面図である。
【図３】本発明による一実施形態の操作装置を備える２層型のプリーツスクリーンの概略構成を示す側面図である。
【図４】（ａ），（ｂ）は本発明による一実施形態の操作装置におけるプーリーケースを構成するプーリープレートとプーリーカバーを示す斜視図である。
【図５】本発明による一実施形態の操作装置におけるプーリーケースに取着されるチェーンガイドを説明する正面図である。
【図６】（ａ）は本発明による一実施形態の操作装置に対するプーリーケースの比較例を示す断面図であり、（ｂ）は、本発明による一実施形態の操作装置におけるプーリーケースの概略構成を示す断面図である。
【発明を実施するための形態】
【００１６】
以下、図面を参照して、本発明による一実施形態の２層型のプリーツスクリーンを説明する。図１は、本発明による一実施形態の操作装置を備える２層型のプリーツスクリーンの概略構成を示す正面図である。図２は、本発明による一実施形態の操作装置を備える２層型のプリーツスクリーンの概略構成を示す平面図である。図３は、本発明による一実施形態の操作装置を備える２層型のプリーツスクリーンの概略構成を示す側面図である。尚、本願明細書中、図１に示すプリーツスクリーンの正面図に対して、図示上方及び図示下方をスクリーンの吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。プリーツスクリーンの前後方向と称するときは、図１の平面図における図示面に対して垂直な方向を云う。
【００１７】
図１乃至図３に示す２層型のプリーツスクリーンは、取付面に対してブラケット２を介して固定されたヘッドボックス１から、上下方向にジクザグ状に折り曲げ可能とされた２枚のスクリーン１５Ｆ，１５Ｒが前後方向に並べて配置される。スクリーン１５Ｆ，１５Ｒの下端には、それぞれのボトムレール８Ｆ，８Ｒが取着される。ボトムレール８Ｆ，８Ｒには、昇降コード１４Ｆ，１４Ｒの一端が取着され、昇降コード１４Ｆ，１４Ｒの他端がヘッドボックス１内のそれぞれの巻取軸５Ｆ，５Ｒに取着される。また、ボトムレール８Ｆ，８Ｒとヘッドボックス１との間には、各昇降コード１４Ｆ，１４Ｒをそれぞれ挿通する環状の支持コード１３１Ｆ，１３１Ｒを有するピッチ保持コード１３Ｆ，１３Ｒの各々がそれぞれのスクリーン１５Ｆ，１５Ｒに設けられる接合片を支持するよう配置される。
【００１８】
ヘッドボックス１の一端には、プーリーケース３が取着されている。プーリーケース３内には、プーリー１０が回転可能に収容され、プーリー１０の外周面には、ボールチェーン９のボール部９ａが嵌まり込む複数の凹部が形成されている。
【００１９】
このプーリー１０に無端状のボールチェーン９が巻き掛けられる。ボールチェーン９は、所定間隔毎にコード部９ｂで連結されたボール部９ａを備えている。ボールチェーン９のプーリー１０に巻き掛けられていない部分は、プーリーケース３の開口部３ａを通り垂下げられ、前側チェーン９Ｆと後側チェーン９Ｒとに分かれている。
【００２０】
そして、プーリー１０には、複数のギヤからなる伝達ギア７が連結され、この伝達ギア７が各伝達クラッチ１１Ｆ，１１Ｒ に連結されている。したがって、伝達ギア７によってプーリー１０の回転が各伝達クラッチ１１Ｆ，１１Ｒ を介して回転駆動軸１６Ｆ，１６Ｒに伝達されるようになっている。
【００２１】
回転駆動軸１６Ｆの回転によって、ヘッドボックス１内で回転可能に支持された巻取軸５Ｆが回転し、巻取軸５Ｆの回転による昇降コード１４Ｆの巻取り及び巻戻しによってスクリーン１５Ｆが昇降される。同様に、回転駆動軸１６Ｒの回転によって、ヘッドボックス１内で回転可能に支持された巻取軸５Ｒが回転し、巻取軸５Ｒの回転による昇降コード１４Ｒの巻取り及び巻戻しによってスクリーン１５Ｒが昇降される。
【００２２】
左右に配置される各巻取軸５Ｆ，５Ｒの間には、それぞれ回転駆動軸１６Ｆ，１６Ｒの回転を制御するストッパー装置４Ｆ，４Ｒが配置され、ストッパー装置４Ｆ，４Ｒは、ボトムレール８Ｆ，８Ｒの引き上げ操作の後にボールチェーン９を手放したとき、ボトムレール８Ｆ，８Ｒの自重降下を防止するよう機能する。
【００２３】
また、ストッパー装置４Ｆ，４Ｒの側方において、回転駆動軸１６Ｆ，１６Ｒが、ガバナー装置６Ｆ，６Ｒに挿通されている。ガバナー装置６Ｆ，６Ｒは、回転駆動軸１６Ｆ，１６Ｒの回転速度を所定値以下に抑制して、ボトムレール８Ｆ，８Ｒの自重降下時の下降速度を所定速度以下に抑制する機能を有する。
【００２４】
また、ヘッドボックス１の他方の端部には、各巻取軸５Ｆ，５Ｒからの昇降コード１４Ｆ，１４Ｒの最大巻戻し量を設定して、ボトムレール８Ｆ，８Ｒの下限位置を設定する下限リミット装置１２Ｆ，１２Ｒが配設されている。
【００２５】
この２層型のプリーツスクリーンの動作を説明する。ボールチェーン９の前側チェーン９Ｆを下方に引くと、その力によって生じた回転力がプーリー１０を介して、伝達クラッチ５Ｆ，５Ｒに伝達される。このとき、伝達クラッチ５Ｆのみが、回転駆動軸１６Ｆに当該回転を伝達し、回転駆動軸１６Ｆのみが回転される。そして、回転駆動軸１６Ｆの回転により巻取軸５Ｆが回転し、昇降コード１４Ｆが螺旋状に巻き取られて、昇降コード１４Ｆの先端に取着されたボトムレール８Ｆが上昇する。
【００２６】
この状態でボールチェーン９から手を離すと、ストッパー装置４Ｆが作動してボトムレール８Ｆの自重降下が防止される。続いて、ボールチェーン９を再度下方に引いた後に手を離すと、ストッパー装置４Ｆの自重降下防止動作が解除されて、巻取軸５Ｆから昇降コード１４Ｆが巻き戻されて、ボトムレール８Ｆが降下する。
【００２７】
一方、ボールチェーン９の後側チェーン９Ｒを下方に引くと、その力によって生じた回転力がプーリー１０を介して、伝達クラッチ５Ｆ，５Ｒに伝達される。このとき、伝達クラッチ５Ｒのみが、回転駆動軸１６Ｒに当該回転を伝達し、回転駆動軸１６Ｒのみが回転される。そして、回転駆動軸１６Ｒの回転により巻取軸５Ｒが回転し、昇降コード１４Ｒが螺旋状に巻き取られて、昇降コード１４Ｒの先端に取着されたボトムレール８Ｒが上昇する。
【００２８】
この状態でボールチェーン９から手を離すと、ストッパー装置４Ｒが作動してボトムレール８Ｒの自重降下が防止される。続いて、ボールチェーン９を再度下方に引いた後に手を離すと、ストッパー装置４Ｒの自重降下防止動作が解除されて、巻取軸５Ｒから昇降コード１４Ｒが巻き戻されて、ボトムレール８Ｒが降下する。
【００２９】
この２層型のプリーツスクリーンによれば、１本の無端状のボールチェーン９のみで、スクリーン１５Ｆ，１５Ｒを個別に開閉操作することができる。このような２層型のプリーツスクリーンにおいては、２層型である故に操作装置を構成するプーリーケース３の前後幅が大きくなり、ボールチェーン９がプーリーケース３等に衝突して生じる騒音がより発生しやすくなる傾向がある。そこで、本発明に係る操作装置では、以下に説明するように構成されているため、操作装置の大型化を避け、ボールチェーン９のプーリーケース３等への衝突によって生じる騒音を効果的に低減することができるようになっている。
【００３０】
（操作装置）
本実施形態の操作装置は、プーリーケース３とプーリー１０から構成され、プーリーケース３は、プーリープレート３１と、チェーンガイド３３が取着されたプーリーカバー３２から構成される。図４（ａ），（ｂ）は本発明による一実施形態の操作装置におけるプーリーケース３を構成するプーリープレート３１とプーリーカバー３２を示す斜視図である。
【００３１】
プーリープレート３１とプーリーカバー３２は、硬質の樹脂材料でそれぞれ形成され、プーリープレート３１の位置決め用凹部３１１と、プーリーカバー３２の位置決め用凸部３２１とが嵌め合わされ、取付ネジ等により一体化させ、プーリーケース３を構成することが可能となっている。そして、プーリープレート３１とプーリーカバー３２とが嵌め合わされた際の隙間によって、プーリーケース３の開口部３ａが形成される。また、プーリーカバー３２に設けられた支軸３２２にプーリー１０の中心軸の軸孔を挿入し、プーリー１０が回転可能にプーリーケース３に収容される。
【００３２】
プーリーカバー３２のスロープ部３２３は、プーリーケース３の開口部３ａの構成部分を為し、後側チェーン９Ｒが当接し当該騒音の発生原因となる部分に該当する。本実施形態の例では、そのスロープ部３２３の形状に倣うようにチェーンガイド３３が固着される。チェーンガイド３３は、図５及び図６を参照して後述するように、予め規定された形状となるよう成形され、高耐久性が得られる硬質材料、例えば金属材料で形成される。
【００３３】
まず、図５を参照して、チェーンガイド３３の規定された形状に関して説明する。図５は、本発明による一実施形態の操作装置におけるプーリーケース３に取着されるチェーンガイド３３を説明する正面図である。チェーンガイド３３は、当該スロープ部３２３を構成する範囲Ｓにて、その曲率半径Ｒが以下の式（１）を満たすように形成されている。
【００３４】
Ｒ  ＞  （１８０×ｄ）／（３．１４×θ）−ｒ                        （１）
ここに、
Ｒ：曲率半径、
ｄ：ボールピッチ、
θ：スロープ角、
ｒ：ボール径
【００３５】
上記のように形成されたチェーンガイド３３をプーリーケース３の開口部３ａに設けることにより、ボールチェーン９のプーリーケース３等への衝突によって生じる騒音を効果的に低減することができる。この点について、図６を参照して、より詳細に説明する。図６（ａ）は本発明による一実施形態の操作装置に対するプーリーケース３の比較例を示す断面図であり、（ｂ）は、本発明による一実施形態の操作装置におけるプーリーケース３の概略構成を示す断面図である。
【００３６】
まず、図６（ａ）の比較例を参照するに、この比較例では、プーリーケース３が一部品で構成された例を示しているが、後側チェーン９Ｒのボール部９ａとコード部９ｂが交互にプーリーケース３の開口部３ａにおけるスロープ部３２３に当接し（Ａ視参照）、騒音が発生する。
【００３７】
一方、図６（ｂ）に示すように、本実施形態の操作装置におけるプーリーケース３によれば、プーリーカバー３２のスロープ部３２３に、式（１）を満たす曲率半径Ｒで形成されたチェーンガイド３３が固着されている。この曲率半径Ｒは、後側チェーン９Ｒのボールピッチｄよりも長くなり、当該チェーンガイド３３上にて２つ以上のボール部９ａが乗るため（Ｂ視参照）、当該騒音が軽減するようになる。
【００３８】
以上のように、本実施形態の操作装置によれば、操作装置の大型化を避け、ボールチェーン９のプーリーケース３等への衝突によって生じる騒音を効果的に低減することができるようになる。
【００３９】
以上、特定の実施形態の例を挙げて本発明を説明したが、本発明は前述の実施形態の例に限定されるものではなく、その技術思想を逸脱しない範囲で種々変形可能である。例えば、上述した実施形態では、２層型のプリーツスクリーンに本発明に係る操作装置を適用する例に説明したが、１層型のプリーツスクリーンを含み、任意のブラインドの操作装置に適用可能である。
【００４０】
また、上述した実施形態では、プーリーカバー３２のスロープ部３２３の形状に倣うようにチェーンガイド３３が固着される例を説明したが、チェーンガイド３３自体の形状が、上記の式（１）を満たすように形成されていれば、スロープ部３２３の形状は他の態様でもよい。
【００４１】
また、上述した実施形態では、当該スロープ部３２３を構成する範囲Ｓにて、略単一の曲率半径でチェーンガイド３３を形成する例を説明したが、複数の曲率半径で成形された形状であっても式（１）を満たすようにして形成することができる。
【００４２】
また、上述した実施形態では、チェーンガイド３３を用いる例を説明したが、スロープ部３２３が耐久性を問題視されない硬質材料で形成可能である場合には、チェーンガイド３３を用いずに、式（１）を満たすように当該スロープ部３２３を形成すればよい。
【００４３】
また、上述した実施形態では、プーリープレート３１とプーリーカバー３２の２部材でプーリーケース３を構成する例を説明したが、一部材とすることや、或いは３以上の部材で構成することもできる。
【産業上の利用可能性】
【００４４】
本発明によれば、ボールチェーン９のプーリーケース３等への衝突によって生じる騒音を効果的に低減することができるので、ボールチェーン９を利用するブラインドの用途に有用である。
【符号の説明】
【００４５】
３  プーリーケース
９  ボールチェーン
９Ｆ  前側チェーン
９Ｒ  後側チェーン
９ａ  ボールチェーンのボール部
９ｂ  ボールチェーンのコード部
１０  プーリー
３１  プーリープレート
３２  プーリーカバー
３３  チェーンガイド
【図１】
2015218430.tif 000003
【図２】
2015218430.tif 000004
【図３】
2015218430.tif 000005
【図４】
2015218430.tif 000006
【図５】
2015218430.tif 000007
【図６】
2015218430.tif 000008